(57)【特許請求の範囲】
【請求項１】
回転軸を有するモータの回転角を検出する回転角検出装置であって、
前記回転軸の一端側を回転自在に支持する金属板と、
前記金属板を貫通して、前記金属板の一方表面から突出している前記回転軸の一端部と、
前記回転軸の一端部に取り付けられた永久磁石と、
前記金属板の前記一方表面側に対向し、前記モータの駆動回路および前記駆動回路の制御回路の少なくとも一方が実装された基板と、
前記永久磁石に対向するように前記基板に設けられた磁気感応素子と、
前記金属板の前記一方表面から立ち上がり、前記回転軸の一端側、前記永久磁石および前記磁気感応素子の周囲を取り囲む筒状をなし、前記金属板と一体に形成された金属製の
磁気遮蔽部材とを含む、回転角検出装置。
【請求項２】
前記筒状の磁気遮蔽部材は、その表面全域が強磁性材料のめっき膜で被膜されている、請求項１に記載の回転角検出装置。
【請求項３】
前記基板の前記磁気感応素子が設けられた周囲には、前記筒状の磁気遮蔽部材の先端が嵌合する凹部が形成されている、請求項１または２に記載の回転角検出装置。
【請求項４】
前記基板には、グランド配線が形成されており、
前記磁気遮蔽部材は、前記グランド配線に電気的に接続されている、請求項１〜３のい
ずれか一項に記載の回転角検出装置。
【発明の詳細な説明】
【技術分野】
【０００１】
本発明は、永久磁石および磁気感応素子を備えた回転角検出装置に関する。
【背景技術】
【０００２】
近年、互いに離間して配置された永久磁石および磁気感応素子によって、モータの回転角を検出する非接触型の回転角検出装置が提案されている。このような回転角検出装置は、たとえば特許文献１に開示されている。
特許文献１は、モータケースと、モータケースに収容されるモータと、モータケースを閉塞する第１フレーム（金属板）と、第１フレーム（金属板）から間隔を空けて第１フレーム（金属板）上に配置された制御基板（基板）と、回転角検出装置とを開示している。モータは、第１フレーム（金属板）を貫通し、当該第１フレーム（金属板）の上方に突出した一端部を有するシャフト（回転軸）を含む。
【０００３】
回転角検出装置は、シャフト（回転軸）の一端部に取り付けられたマグネット（永久磁石）と、制御基板（基板）に取り付けられた位置検出センサ（磁気感応素子）とを含む。マグネット（永久磁石）と位置検出センサ（磁気感応素子）とは、互いに対向するように配置されている。
【先行技術文献】
【特許文献】
【０００４】
【特許文献１】特開２０１４−２２５９９８号公報
【発明の概要】
【発明が解決しようとする課題】
【０００５】
特許文献１のように、磁気感応素子と永久磁石とを対向させる構成の回転角検出装置では、基板に実装された磁気感応素子以外の回路部品にも永久磁石の磁気が及ぶ結果、回路部品の正常な動作が妨げられる虞がある。つまり、モータの駆動回路や、当該駆動回路の制御回路等が基板に実装されている場合、駆動回路や制御回路等は、永久磁石の磁気の影響を受けて誤作動する虞がある。また、これとは反対に、駆動回路や制御回路等を流れる電流によって生じた磁気が磁気感応素子で検出される結果、磁気感応素子の検出信号に歪みやノイズ等が生じる虞もある。
【０００６】
そこで、本発明は、永久磁石および基板で発生する磁気による不都合を低減し、信頼性を向上できる回転角検出装置を提供することを目的とする。
【課題を解決するための手段】
【０００７】
請求項１に記載の発明は、回転軸（１８）を有するモータ（１５）の回転角を検出する回転角検出装置（１）であって、前記回転軸の一端側を回転自在に支持する金属板（１０）と、前記金属板を貫通して、前記金属板（１０）の一方表面から突出している前記回転軸（１８）の一端部と、前記回転軸の一端部（１８ｂ）に取り付けられた永久磁石（３０）と、前記金属板の前記一方表面側に対向し、前記モータの駆動回路（３４）および前記駆動回路の制御回路（３９）の少なくとも一方が実装された基板（３１）と、前記永久磁石に対向するように前記基板に設けられた磁気感応素子（３２）と、前記金属板の前記一方表面から立ち上がり、前記回転軸の一端側、前記永久磁石（３０）および前記磁気感応素子（３２）の周囲を取り囲む筒状をなし、前記金属板と一体に形成された金属製の磁気遮蔽部材（４２）とを含む、回転角検出装置（１）である。
請求項２に記載の発明は、前記筒状の磁気遮蔽部材（４２）は、その表面全域が強磁性材料のめっき膜で被膜されている、請求項１に記載の回転角検出装置（１）である。
【０００８】
この構成によれば、金属板と基板との間において、平面視で永久磁石を取り囲む筒状の磁気遮蔽部材が配置されている。これにより、永久磁石および基板で発生する磁気による不都合を低減できるので、信頼性を向上できる。より具体的には、永久磁石と、基板に実装された駆動回路および／または制御回路との間を結ぶ磁気経路を磁気遮蔽部材により遮蔽できるので、永久磁石の磁気が駆動回路および／または制御回路に及ぶのを抑制できる。これにより、駆動回路および／または制御回路が永久磁石の磁気によって誤作動するのを抑制できる。
【０００９】
また、磁気感応素子と、駆動回路および／または制御回路との間を結ぶ磁気経路を磁気遮蔽部材により遮蔽できるので、駆動回路および／または制御回路で発生した磁気が磁気感応素子に及ぶのを抑制できる。これにより、駆動回路および／または制御回路で発生した磁気が磁気感応素子で検出されるのを抑制できる。その結果、永久磁石の磁気を磁気感応素子によって良好に検出できるので、磁気感応素子の検出精度を向上できる。
【００１０】
請求項３に記載の発明は、前記基板の前記磁気感応素子（３２）が設けられた周囲には、前記筒状の磁気遮蔽部材（４２）の先端が嵌合する凹部が形成されている、請求項１または２に記載の回転角検出装置（１）である。
この構成によれば、基板に形成された係合部に、磁気遮蔽部材の基板側端部を係合させ
ることによって、放熱板に対する基板の位置決めを容易に行うことができる。また、放熱
板に対する基板の位置決めの精度が向上するから、永久磁石と磁気感応素子との位置決め
の精度も向上できる。これにより、磁気感応素子の検出精度を一層向上できる。
【００１１】
請求項４に記載の発明は、前記基板には、グランド配線（４７）が形成されており、前記磁気遮蔽部材は、前記グランド配線に電気的に接続されている、請求項１〜３のいずれか一項に記載の回転角検出装置である。
この構成によれば、基板に形成されたグランド配線と金属板とを磁気遮蔽部材を介して電気的に接続できるので、グランド配線の配線面積を増加させることができる。これにより、グランド電位の安定性を向上できるので、駆動回路および／または制御回路で発生するノイズを低減できる。
【図面の簡単な説明】
【００１２】
【図１】図１は、本発明の一実施形態に係る回転角検出装置が適用された一体型モータ／ＥＣＵを示す模式的な断面図である。
【図２】図２は、図１の磁気遮蔽部材を示す拡大断面図である。
【図３】図３は、図２に示すIII-III線に沿う断面図である。
【発明を実施するための形態】
【００１３】
以下では、本発明の実施形態を、添付図面を参照して詳細に説明する。
図１は、本発明の一実施形態に係る回転角検出装置１が適用された一体型モータ／ＥＣＵ（Electronic Control Unit）１０１を示す模式的な断面図である。
本実施形態では、一体型モータ／ＥＣＵ１０１は、後述するモータ１５と、ＥＣＵ４８とを一体的に含むＥＰＳ（Electric Power Steering：電動パワーステアリング）用の一体型モータ／ＥＣＵである。以下、一体型モータ／ＥＣＵ１０１の構成についてより具体的に説明する。
【００１４】
一体型モータ／ＥＣＵ１０１は、モータハウジング２を含む。モータハウジング２は、円板状の底壁３と、当該底壁３の周縁に設けられ、当該底壁３の反対側に開口部４を形成する円筒状の側壁５とを一体的に有する有底円筒状を成している。モータハウジング２は、底壁３に、第１軸受６を保持するための第１軸受保持部７を有している。第１軸受保持部７は、底壁３の中央部において、平面視略円形状に一段窪んだ凹所である。この凹所内に第１軸受６が収容されて、保持されている。第１軸受６は、本実施形態では、ボールベアリングである。第１軸受保持部７の底面中央部には、底壁３を貫通する貫通孔８が形成されている。モータハウジング２の開口部４は、略円板状の金属製（たとえばアルミニウム製）の放熱板（金属板）１０により、閉塞されている。
【００１５】
放熱板１０は、モータハウジング２の底壁３に対向する第１主面１０ａとその反対の第２主面１０ｂとを有している。放熱板１０は、第１主面１０ａの中央部に、第２軸受１１を保持するための第２軸受保持部１２を有している。第２軸受保持部１２は、放熱板１０の第１主面１０ａの中央部において、平面視略円形状に一段窪んだ凹所である。この凹所内に第２軸受１１が収容されて、保持されている。第２軸受１１は、本実施形態では、ボールベアリングである。第２軸受保持部１２の底面中央部には、放熱板１０を貫通する貫通孔１３が形成されている。この放熱板１０により閉塞されたモータハウジング２内にモータ１５が収容されている。
【００１６】
モータ１５は、本実施形態では、三相ブラシレスモータである。モータ１５は、モータハウジング２の側壁５の内周面５ａに固定された円筒状のステータ１６と、ステータ１６の径方向内側に配置されたロータ１７と、ロータ１７の中央部を貫通するように当該ロータ１７に取り付けられた円柱状のシャフト（回転軸）１８とを含む。
ステータ１６は、モータハウジング２の側壁５の内周面５ａから径方向内側に向って延設された複数のステータティース１９と、複数のステータティース１９に巻回されたステータ巻線２０とを有している。ステータ巻線２０は、モータ１５のＵ相、Ｖ相およびＷ相に対応するＵ相巻線、Ｖ相巻線およびＷ相巻線を含む。ステータ巻線２０の放熱板１０側に位置する一端２０ａには、円柱状のモータバスバー２１が電気的に接続されている。モータバスバー２１は、放熱板１０に形成されたバスバー挿通孔２２を介して放熱板１０の第２主面１０ｂ側に引き出されている。
【００１７】
ロータ１７は、シャフト１８と一体回転する円柱状のロータコア２３と、ロータコア２３の外周に固定された永久磁石２４とを含む。ロータコア２３は、軟磁性材料により形成されており、平面視中央部にシャフト挿通孔２５が形成されている。永久磁石２４は、ロータコア２３の周方向に沿ってＳ極とＮ極とが互いに交互に着磁されたリング状の磁石からなる。
【００１８】
シャフト１８は、ロータコア２３のシャフト挿通孔２５に挿通されて、固定されている。シャフト１８は、たとえばステンレス鋼（ＳＵＳ）等の非磁性材金属で形成されている。シャフト１８は、モータハウジング２の底壁３に設けられた第１軸受６と、放熱板１０の第１主面１０ａに設けられた第２軸受１１とによって軸支されている。これにより、ロータ１７が、モータハウジング２内で回転自在に支持されている。この構成において、シャフト１８は、貫通孔８を貫通してモータハウジング２の外側に突出する先端部１８ａと、貫通孔１３を貫通して放熱板１０の第２主面１０ｂ側に突出する基端部（一端部）１８ｂとを有している。
【００１９】
シャフト１８の先端部１８ａには、連結部材２６が取り付けられている。連結部材２６は、一体型モータ／ＥＣＵ１０１の外部の機構（たとえば、ＥＰＳ用の減速機）に接続されることによって、モータ１５の回転駆動力を当該外部の機構（たとえば、ＥＰＳ用の減速機）に伝達する。一方、シャフト１８の基端部１８ｂには、シャフト１８と一体回転するように略円板状の永久磁石３０が取り付けられている。
【００２０】
永久磁石３０は、その周方向に沿ってＳ極およびＮ極が交互に着磁されることにより形成されている。永久磁石３０は、図１に示すように、当該永久磁石３０の周縁部３０ａが第２主面１０ｂに対向するようにシャフト１８の径方向の幅よりも幅広に形成されていてもよい。永久磁石３０は、シャフト１８の径方向の幅と略同一の幅で形成されていてもよい。永久磁石３０に対して放熱板１０とは反対側には、放熱板１０の第２主面１０ｂに対向するように略円板状の基板３１が配置されている。
【００２１】
基板３１は、シャフト１８の軸方向に放熱板１０から所定の間隔（たとえば、５ｍｍ程度）を空けて配置されており、放熱板１０の第２主面１０ｂに対向する対向面３１ａとその反対の非対向面３１ｂとを有している。基板３１は、たとえば多層配線基板であってもよい。多層配線基板は、複数の絶縁層と、複数の配線層と、絶縁層を挟んで上下に配置された配線層を電気的に接続するビアとを有していてもよい。基板３１の対向面３１ａの中央部には、磁気センサ（磁気感応素子）３２が実装される平面視略円形状のセンサ実装領域３３が設定されている。基板３１の対向面３１ａの周縁部には、駆動回路３４が実装される平面視略円環状の駆動回路実装領域３５がセンサ実装領域３３を取り囲むように設定されている。
【００２２】
磁気センサ３２は、センサ実装領域３３において、永久磁石３０の板面３０ｂ全域に対向する領域内に配置されている。より具体的には、磁気センサ３２は、基板３１の対向面３１ａにおけるシャフト１８の回転中心と一致する位置に配置されている。これにより、磁気センサ３２は、空間を挟んで永久磁石３０に対向している。磁気センサ３２は、シャフト１８の回転に伴って変動する永久磁石３０からの磁界（磁束）を検出する。これら永久磁石３０および磁気センサ３２によって、回転角検出装置１の一部が構成されている。回転角検出装置１は、磁気センサ３２の出力に基づいてモータ１５の回転角を演算する演算手段（図示略）を含む。
【００２３】
駆動回路３４は、モータ１５に電力を供給する三相インバータ回路であり、モータ１５のＵ相、Ｖ相およびＷ相に対応する複数のスイッチング素子３６を含む。各スイッチング素子３６は、金属製の放熱部材３７を介して放熱板１０に熱的に接続されている。各スイッチング素子３６および各スイッチング素子３６に接続された放熱部材３７は、封止樹脂３８により封止されている。
【００２４】
基板３１の非対向面３１ｂには、駆動回路３４に電気的に接続されることによって、当該駆動回路３４を制御する制御回路３９が実装されている。つまり、基板３１は、モータ１５の駆動回路３４と、駆動回路３４の制御回路３９とが共通の基板３１の上下面（対向面３１ａおよび非対向面３１ｂ）に実装された複合型の回路基板である。制御回路３９は、メモリに格納された所定の動作プログラムを実行するマイクロコンピュータ４０を含む。制御回路３９には、基板３１に形成されたバスバー挿通孔４１を介して基板３１の非対向面３１ｂ側に引き出されたモータバスバー２１が電気的に接続されている。
【００２５】
基板３１に実装された駆動回路３４および制御回路３９によって、ＥＣＵ４８の一部が構成されている。ＥＣＵ４８において、制御回路３９は、駆動回路３４を制御して、複数のスイッチング素子３６をオン・オフ制御させることにより、駆動回路３４からモータバスバー２１にモータ１５を正弦波駆動させる信号を出力させる。モータバスバー２１に出力された信号は、ステータ１６に伝達される。これにより、モータ１５が正弦波駆動される。
【００２６】
放熱板１０と基板３１との間には、強磁性材料を含む磁気遮蔽部材４２が配置されている。以下、図２および図３を参照して、磁気遮蔽部材４２の具体的な構成について説明する。図２は、図１の磁気遮蔽部材４２の要部を示す拡大断面図である。図３は、図２に示すIII-III線に沿う断面図である。
図２および図３に示すように、磁気遮蔽部材４２は、筒状を成しており、平面視で永久磁石３０および磁気センサ３２の周囲を取り囲むように配置されている。本実施形態では、磁気遮蔽部材４２は、略円筒状に形成された例を示しているが、磁気遮蔽部材４２は、略角筒状であってもよい。放熱板１０の第２主面１０ｂからの磁気遮蔽部材４２の高さＴは、たとえば５ｍｍ程度である。
【００２７】
磁気遮蔽部材４２は、放熱板１０側に位置する放熱板側端部４２ａと、基板３１側に位置する基板側端部４２ｂとを有している。磁気遮蔽部材４２の放熱板側端部４２ａは、放熱板１０と一体を成しており、磁気遮蔽部材４２の基板側端部４２ｂは、基板３１に当接している。磁気遮蔽部材４２は、本実施形態では、放熱板１０と同一の材料からなり、放熱板１０と一体を成すアルミニウム製の本体部４３と、本体部４３の表面全域を被覆するめっき膜４４とを含む。めっき膜４４は、たとえばニッケル（Ｎｉ）等の強磁性材料からなるめっき膜である。
【００２８】
図２に示すように、基板３１には、磁気遮蔽部材４２の基板側端部４２ｂに係合する係合部４５が形成されている。本実施形態では、係合部４５は、磁気遮蔽部材４２の基板側端部４２ｂに嵌合するように平面視略円環状に形成された凹部４６である。基板３１には、駆動回路３４および／または制御回路３９にグランド電位（基準電圧）を提供するグランド配線４７が形成されている。グランド配線４７は、たとえば銅箔からなる。凹部４６（係合部４５）は、このグランド配線４７の一部が露出するように基板３１に形成されている。磁気遮蔽部材４２の基板側端部４２ｂは、基板３１に形成された凹部４６（係合部４５）に嵌合（係合）されている。磁気遮蔽部材４２の基板側端部４２ｂは、凹部４６（係合部４５）内において、グランド配線４７に電気的に接続されている。
【００２９】
この磁気遮蔽部材４２により、磁気センサ３２が実装されたセンサ実装領域３３と、駆動回路３４が実装された駆動回路実装領域３５とが磁気的に遮蔽されている。より具体的には、磁気遮蔽部材４２により、永久磁石３０と、基板３１に実装された駆動回路３４（駆動回路実装領域３５）との間を結ぶ磁気経路が遮蔽され、かつ、磁気センサ３２（センサ実装領域３３）と、駆動回路３４（駆動回路実装領域３５）との間を結ぶ磁気経路が遮蔽されている。
【００３０】
図１を再度参照して、放熱板１０には、モータハウジング２側に開口部５０ａを有する有底円筒状のカバー部材５０が、当該放熱板１０との間で基板３１を収容するように取り付けられている。
以上、本実施形態では、放熱板１０と基板３１との間において、平面視で永久磁石３０および磁気センサ３２を取り囲む略円筒状の磁気遮蔽部材４２が配置されている。これにより、永久磁石３０および基板３１で発生する磁気による不都合を低減できるので、信頼性を向上できる。より具体的には、永久磁石３０と、基板３１に実装された駆動回路３４（駆動回路実装領域３５）との間を結ぶ磁気経路を磁気遮蔽部材４２により遮蔽できるので、永久磁石３０の磁気が駆動回路３４に及ぶのを抑制できる。これにより、駆動回路３４（複数のスイッチング素子３６等）が永久磁石３０の磁気によって誤作動するのを抑制できる。また、駆動回路３４の誤作動を抑制できるから、当該駆動回路３４に電気的に接続された制御回路３９（マイクロコンピュータ４０等）の誤作動も抑制できる。
【００３１】
また、磁気センサ３２と、駆動回路３４との間を結ぶ磁気経路を磁気遮蔽部材４２により遮蔽できるので、駆動回路３４側で発生した磁気が磁気センサ３２に及ぶのを抑制できる。とりわけ、本実施形態では、比較的大きい電流が流れるモータバスバー２１で発生した磁気や複数のスイッチング素子３６等で発生した磁気を磁気遮蔽部材４２により遮蔽できる。これにより、駆動回路３４側で発生した磁気が磁気センサ３２で検出されるのを抑制できる。その結果、永久磁石３０の磁気を磁気センサ３２によって良好に検出できるので、磁気センサ３２の検出精度を向上できる。
【００３２】
また、本実施形態では、磁気遮蔽部材４２により永久磁石３０および基板３１で発生する磁気による不都合を低減できるから、永久磁石３０と基板３１（駆動回路３４および制御回路３９）とを比較的近づけて配置できる。これにより、一体型モータ／ＥＣＵ１０１の小型化および低コスト化に寄与できる。とりわけ、本実施形態では、共通の基板３１の上下面（対向面３１ａおよび非対向面３１ｂ）に駆動回路３４および制御回路３９が実装された構成を採用しているので、一体型モータ／ＥＣＵ１０１の小型化および低コスト化により一層寄与できる。
【００３３】
また、本実施形態では、磁気遮蔽部材４２の基板側端部４２ｂに嵌合（係合）する凹部４６（係合部４５）が基板３１に形成されている。この凹部４６（係合部４５）に、磁気遮蔽部材４２の基板側端部４２ｂを嵌合（係合）させることによって、放熱板１０に対する基板３１の位置決めを容易に行うことができる。また、放熱板１０に対する基板３１の位置決めの精度が向上するから、永久磁石３０と磁気センサ３２との位置決めの精度も向上できる。これにより、磁気センサ３２の検出精度を一層向上できる。
【００３４】
また、本実施形態では、放熱板１０の第１主面１０ａに第２軸受１１を保持するための第２軸受保持部１２（凹所）が形成されている。これにより、比較的コンパクトな設計で、シャフト１８（モータ１５）の位置決めを行うことができる。また、シャフト１８の位置決めの精度が向上するから、シャフト１８に取り付けられた永久磁石３０と磁気センサ３２との位置決めの精度を向上できる。これにより、磁気センサ３２の検出精度を一層向上できる。
【００３５】
また、本実施形態では、磁気遮蔽部材４２の基板側端部４２ｂは、凹部４６（係合部４５）内でグランド配線４７に電気的に接続されている。これにより、基板３１に形成されたグランド配線４７と放熱板１０とを磁気遮蔽部材４２を介して電気的に接続できるので、グランド配線４７の配線面積を増加させることができる。その結果、グランド電位の安定性を向上させることができるので、基板３１（駆動回路３４および制御回路３９）で発生するノイズを低減できる。
【００３６】
以上、本発明の実施形態について説明したが、本発明はさらに他の形態で実施することもできる。
たとえば、前述の実施形態では、駆動回路３４が基板３１の対向面３１ａに実装され、制御回路３９が基板３１の非対向面３１ｂに実装された例について説明した。しかし、駆動回路３４が基板３１の非対向面３１ｂに実装され、制御回路３９が基板３１の対向面３１ａに実装されていてもよい。この構成によれば、磁気遮蔽部材４２により、制御回路３９と永久磁石３０とを結ぶ磁気経路を遮蔽でき、かつ、制御回路３９と磁気センサ３２とを結ぶ磁気経路を遮蔽できる。また、駆動回路３４および制御回路３９が別々の基板に形成されていてもよい。つまり、基板３１には、駆動回路３４および制御回路３９のいずれか一方が実装されていてもよい。
【００３７】
また、前述の実施形態では、磁気遮蔽部材４２が放熱板１０と一体的に形成された例について説明した。しかし、放熱板１０とは別体の磁気遮蔽部材４２が設けられていてもよい。この場合、磁気遮蔽部材４２は、ニッケル等の強磁性材料により形成されていてもよい。
また、前述の実施形態では、磁気遮蔽部材４２にのみニッケル等の強磁性材料からなるめっき膜４４が形成された例について説明した。このめっき膜４４は、放熱板１０の第２主面１０ｂの一部の領域または全域を被覆するように形成されていてもよい。この構成によれば、放熱板１０の第２主面１０ｂの一部の領域または全域を磁気遮蔽部材として利用できる。
【００３８】
また、前述の実施形態では、磁気遮蔽部材４２が、基板３１に形成されたグランド配線４７に電気的に接続された例について説明した。しかし、磁気遮蔽部材４２は、基板３１に形成された放熱用の金属膜に接続されることによって、基板３１と放熱板１０とを熱的に接続させてもよい。むろん、グランド配線４７が放熱用の金属膜を兼ねていてもよい。
また、前述の実施形態では、基板３１の凹部４６（係合部４５）から露出するようにグランド配線４７が形成された例について説明した。しかし、グランド配線４７は、基板３１の非対向面３１ｂ上に形成されていてもよい。この場合、磁気遮蔽部材４２の基板側端部４２ｂは、凹部４６（係合部４５）内において、基板３１を貫通して形成されたビアを介して基板３１の非対向面３１ｂ上のグランド配線４７に電気的に接続されていてもよい。この構成によれば、基板３１の対向面３１ａに凹部４６（係合部４５）を形成した後、当該基板３１を貫通するビアを形成し、基板３１の非対向面３１ｂ上にビアを被覆するグランド配線４７を形成すればよいので、製造容易である。
【００３９】
その他、特許請求の範囲に記載された事項の範囲で種々の設計変更を施すことが可能である。
【符号の説明】
【００４０】
１…回転角検出装置、１０…放熱板、１５…モータ、１８…シャフト（回転軸）、１８ｂ…シャフトの基端部（一端部）、３０…永久磁石、３１…基板、３２…磁気センサ（磁気感応素子）、３４…駆動回路、３９…制御回路、４２…磁気遮蔽部材、４２ｂ…磁気遮蔽部材の基板側端部、４５…基板の係合部、４６…基板の凹部、４７…グランド配線
【図１】
0006593625.tif 000002
【図２】
0006593625.tif 000003
【図３】
0006593625.tif 000004